(57)【要約】【課題】紙幣取扱装置において硬貨投入による破損を防止する技術を提供する。【解決手段】紙幣取扱装置であって、受け入れた紙幣および払い出す紙幣を受容する紙幣受容部であって、紙幣が落下せず硬貨が落下可能に形成された孔を有する底部を備える、紙幣受容部と、底部の重力方向下側に配され、孔を通過した硬貨を集積することができる集積部と、孔の下方に配され、集積部に集積された硬貨を対象物として検知することができる検知センサと、紙幣取扱装置を制御する制御部と、を備え、紙幣受容部は、さらに、底部に設けられ、受け入れた紙幣を紙幣受容部から送出することができる送出部と、底部上の孔を含む範囲を移動して、紙幣受容部内の紙幣を送出部に向けて移動させることができる押出部と、を含み、制御部は、検知センサが対象物を検知した場合、押出部を送出部に向けて移動させない、紙幣取扱装置。【選択図】図７
2016122242.tif 000002
【特許請求の範囲】
【請求項１】
紙幣取扱装置であって、
受け入れた紙幣および払い出す紙幣を受容する紙幣受容部であって、紙幣が落下せず硬貨が落下可能に形成された孔を有する底部を備える、紙幣受容部と、
前記底部の重力方向下側に配され、前記孔を通過した前記硬貨を集積することができる集積部と、
前記孔の下方に配され、光を出す投光部と前記光を受ける受光部とを含み、前記集積部に集積された前記硬貨を対象物として検知することができる検知センサと、
前記紙幣取扱装置を制御する制御部と、を備え、
前記紙幣受容部は、さらに、
前記底部に設けられ、受け入れた紙幣を紙幣受容部から送出することができる送出部と、
前記底部上の前記孔を含む範囲を移動して、前記紙幣受容部内の紙幣を前記送出部に向けて移動させることができる押出部と、を含み、
前記制御部は、前記検知センサが前記対象物を検知した場合、前記押出部を前記送出部に向けて移動させない、紙幣取扱装置。
【請求項２】
請求項１に記載の紙幣取扱装置であって、
前記受光部が前記光を受けている量である受光量が、前記受光量の閾値を下回っている時間が時間の閾値を超過した場合、前記検知センサは、前記対象物を検知する、紙幣取扱装置。
【請求項３】
請求項１または請求項２に記載の紙幣取扱装置であって、
前記投光部より出される前記光の量である投光量は、前記硬貨は透過せず前記紙幣は透過する量であり、
前記検知センサは、前記受光部に前記光が到達しなかった場合、前記対象物を検知し、前記受光部に前記紙幣を透過した光が到達した場合、前記対象物を検知しない、紙幣取扱装置。
【請求項４】
請求項１から請求項３までのいずれか一項に記載の紙幣取扱装置であって、さらに、
前記検知センサが前記対象物を検知した場合、前記硬貨が前記集積部にある旨を報知する報知部を備える、紙幣取扱装置。
【請求項５】
請求項１から請求項４までのいずれか一項に記載の紙幣取扱装置であって、
前記集積部を重力方向上側から重力方向下側に向かって見たときに、前記集積部内の互いに異なる位置において、前記対象物を検知することができる複数組の前記投光部と前記受光部とを前記検知センサが備える、紙幣取扱装置。
【発明の詳細な説明】
【技術分野】
【０００１】
本発明は、紙幣取扱装置に関する。
【背景技術】
【０００２】
金融機関などで使用される現金自動取引装置には、受け入れた紙幣および払い出す紙幣を受容する紙幣受容部を備えるものがある。紙幣受容部は、受け入れた紙幣を送出する送出部と、受け入れた紙幣を送出部に向けて移動させる押出部とを備える。現金自動取引装置は、紙幣だけでなく硬貨も取り扱うため、紙幣受容部の中に誤って硬貨が投入される場合がある。硬貨が誤って紙幣受容部に投入された場合、送出部に硬貨が入り込むことによって、現金自動取引装置が故障する原因となる場合がある。
【０００３】
特許文献１に記載の現金自動取引装置では、硬貨が紙幣に挟まれたままの状態で紙幣受容部の中に投入された場合にも、硬貨ごと紙幣を送出部から送出する。しかし、このような紙幣取扱装置では、搬送路の途中で硬貨が詰まる場合がある。硬貨の詰まりによる故障を改善する技術として、特許文献２の技術が開示されている。
【０００４】
特許文献２に記載の紙幣入出金機では、紙幣受容部の底部として、紙幣は落下せず硬貨が落下可能に形成された孔を有する底部を配することによって、硬貨が送出部から送出される前に硬貨を紙幣受容部の外へ落下させる。落下した硬貨は、底部の重力方向下側に配された集積部へ集積される。
【先行技術文献】
【特許文献】
【０００５】
【特許文献１】特開２００９−８０６１１号公報
【特許文献２】特開２００６−６５４３５号公報
【発明の概要】
【発明が解決しようとする課題】
【０００６】
しかし、特許文献２に記載の紙幣取扱装置は、以下のような課題がある。集積部から硬貨が溢れ出た場合に、紙幣受容部内における押出部の移動を阻害する場合がある。このため、押出部が集積部から溢れ出た硬貨と衝突し、破損が起こるという課題があった。そのほか、紙幣取扱装置においては、低コスト化、微細化、製造の容易化、省資源化、使い勝手の向上、耐久性の向上などが望まれていた。
【課題を解決するための手段】
【０００７】
上記課題を解決するために、本発明の紙幣取扱装置は、受け入れた紙幣および払い出す紙幣を受容する紙幣受容部であって、紙幣が落下せず硬貨が落下可能に形成された孔を有する底部を備える、紙幣受容部と、前記底部の重力方向下側に配され、前記孔を通過した前記硬貨を集積することができる集積部と、前記孔の下方に配され、光を出す投光部と前記光を受ける受光部とを含み、前記集積部に集積された前記硬貨を対象物として検知することができる検知センサと、前記紙幣取扱装置を制御する制御部と、を備え、前記紙幣受容部は、さらに、前記底部に設けられ、受け入れた紙幣を紙幣受容部から送出することができる送出部と、前記底部上の前記孔を含む範囲を移動して、前記紙幣受容部内の紙幣を前記送出部に向けて移動させることができる押出部と、を含み、前記制御部は、前記検知センサが前記対象物を検知した場合、前記押出部を前記送出部に向けて移動させない。
【発明の効果】
【０００８】
本発明の紙幣取扱装置によれば、硬貨が集積部から溢れ出たことによる押出部の破損を防止できる。
【図面の簡単な説明】
【０００９】
【図１】現金自動取引装置の構成を示す説明図である。
【図２】現金自動取引装置の機能ブロックを示す説明図である。
【図３】紙幣取扱装置の内部構成を示す説明図である。
【図４】紙幣取扱装置の機能ブロックを示す説明図である。
【図５】紙幣入出金機構部の詳細を示す斜視図である。
【図６】紙幣入出金機構部の詳細を示す側面図である。
【図７】現金自動取引装置の制御部が実行する硬貨検知処理を示すフローチャートである。
【図８】紙幣受容部が紙幣を受け取る状態を示す説明図である。
【図９】集積部に硬貨が集積している状態を示す説明図である。
【図１０】押出部が紙幣を送出部に向けて移動させた状態を示した説明図である。
【発明を実施するための形態】
【００１０】
Ａ．第１実施形態：
図１は、現金自動取引装置１０の構成を示す説明図である。図２は、現金自動取引装置１０の機能ブロックを示す説明図である。
【００１１】
現金自動取引装置１０は、所定の取引を実現するために利用者とのやり取りを行う。本実施形態では、現金自動取引装置１０は、利用者と金融機関との間の金融取引を実現するために利用者とのやり取りを行う現金自動取引装置（ＡＴＭ：Automated Teller Machine）である。現金自動取引装置１０は、紙幣取扱装置２０と、顧客操作部１１０と、カード処理部１２０と、カードスロット１３０と、本体制御部１４０と、係員操作部１５０と、インタフェース部１６０と、外部記憶装置１７０と、電源部１７５とを備える。
【００１２】
顧客操作部１１０は、利用者から指示の入力を受け付ける。本実施形態では、顧客操作部１１０は、画像を表示するとともに、その画像上で利用者から指示の入力を受け付けるタッチパネルである。カードスロット１３０は、利用者のキャッシュカードの受入および排出を実行する。カード処理部１２０は、カードスロット１３０と連通しており、カードスロット１３０に挿入された利用者のキャッシュカードを処理し、また、取引明細書を印字して排出する。
【００１３】
係員操作部１５０は、行員が現金自動取引装置１０のメンテナンスや、紙幣の補充、回収を行う際に操作を行うための操作盤である。インタフェース部１６０は、現金自動取引装置１０をネットワーク（図示せず）に接続し、現金自動取引装置１０とネットワークとの間の情報のやり取りを中継する。外部記憶装置１７０は、本体制御部１４０により処理されたデータ等を記憶する。電源部１７５は、現金自動取引装置１０へ電源を供給する。
【００１４】
紙幣取扱装置２０は、紙幣を取り扱う。紙幣取扱装置２０は、紙幣入出金機構部２１０と、金庫筐体２２０とを備える。紙幣入出金機構部２１０は、紙幣の受け入れおよび紙幣の払い出しを行う。金庫筐体２２０は、紙幣入出金機構部２１０の下部に配され、鉄板で囲われた筐体である。金庫筐体２２０の内部には、紙幣を収納する機構が備えられている。
【００１５】
本体制御部１４０は、紙幣取扱装置２０、顧客操作部１１０、カード処理部１２０、係員操作部１５０、インタフェース部１６０、外部記憶装置１７０と情報のやり取りを行い、現金自動取引装置１０の動作全般を制御する。
【００１６】
図３は、紙幣取扱装置２０の内部構成を示す説明図である。紙幣取扱装置２０は、紙幣入出金機構部２１０と、金庫筐体２２０とを備える。金庫筐体２２０は、紙幣を収納する機構として、紙幣搬送路２３０と、紙幣判別部２４０と、一時保管庫２５０と、返却用一時保管庫２６０と、収納庫２７０と、回収庫２８０とを備える。
【００１７】
紙幣搬送路２３０は、紙幣を搬送する。紙幣搬送路２３０は、分岐器Ｇ１〜１２を備える。分岐器Ｇ１〜１２は、紙幣搬送路２３０の搬送ルートを切り替える。本実施形態では、分岐器Ｇ１〜１２は、電磁ソレノイド等によって動作する。
【００１８】
紙幣判別部２４０は、紙幣の金種及び真偽を判別する。一時保管庫２５０は、受け付けた紙幣および払い出す紙幣を、取引が成立するまでの間において一時的に保管する。返却用一時保管庫２６０は、受け付けた紙幣のうち、受け付けられないと判断された紙幣を一時的に保管する。収納庫２７０は、紙幣を金種別に収納する。本実施形態では、収納庫２７０は、５つの収納庫２７０ａ、２７０ｂ、２７０ｃ、２７０ｄ、２７０ｅの総称を示す。回収庫２８０は、利用者が取り忘れた紙幣および紙幣判別部２４０にて偽札と判別された紙幣を回収して収納する。
【００１９】
図４は、紙幣取扱装置２０の機能ブロックを示す説明図である。紙幣取扱装置２０は、本体制御部１４０とは別の制御部４４５を備える。制御部４４５は、本体制御部１４０からの指示に従って紙幣取扱装置２０の各部を制御する。制御部４４５は、主制御部４５０と、メモリ４６０と、上位通信部４７０とを備える。主制御部４５０は、メモリ４６０を利用して、紙幣取扱装置２０における各部の動作を制御したり、各部が備えるセンサからの情報（例えば収納された紙幣の数など）を取得したりする。主制御部４５０は、上位通信部４７０を介して、外部装置としてのＡＴＭＰＣ５００と通信する。ＡＴＭＰＣ５００は、複数の現金自動取引装置１０を管理するサーバである。本実施形態では、ＡＴＭＰＣ５００は、行員が監視している端末（パーソナルコンピュータ）との間で情報のやり取りを行う。
【００２０】
紙幣搬送路２３０は、分岐器Ｇ１〜１２（図３参照）のほか、検出センサ２３２と駆動モータ２３４とを備える。検出センサ２３２は、紙幣の通過や搬送異常に関する検出信号を出力する。駆動モータ２３４は、紙幣搬送路２３０を稼動するために回転する。
【００２１】
図５は、紙幣入出金機構部２１０の詳細を示す斜視図である。図６は、紙幣入出金機構部２１０の詳細を示す側面図である。紙幣入出金機構部２１０は、紙幣受容部３１０と、シャッタ３１５と、集積部３３０と、検知センサ３４０とを備える。
【００２２】
紙幣受容部３１０は、受け入れた紙幣および払い出す紙幣を受容する。紙幣受容部３１０は、底部３２０と、押出部３５０と、前板３６０と、送出部３７０とを備える。
【００２３】
底部３２０は、紙幣が落下せず硬貨が落下可能な大きさに形成された孔３２２を有する。本実施形態では、孔３２２は、矩形である。本実施形態では、孔３２２における対角線の長さは、現金自動取引装置１０で処理可能な最も小さい紙幣の長辺より短い。
【００２４】
押出部３５０は、底部３２０上の孔３２２を含む範囲を移動して、紙幣受容部３１０内に受容されている紙幣を送出部３７０に向けて移動させることができる。前板３６０は、送出部３７０に向けて移動してきた押出部３５０とともに受容されている紙幣を挟んで揃える。
【００２５】
送出部３７０は、底部３２０に設けられ、押出部３５０と前板３６０とに挟まれて揃えられた紙幣を送出する。本実施形態では、送出部３７０は、紙幣を１枚ずつ巻き込むピックローラ３７２と、ピックローラ３７２によって巻き取られた紙幣を紙幣搬送路２３０に繰り出す分離ローラ３７４と、分離ローラ３７４と重なるように配され、複数の紙幣を送り出すことを抑制するゲートローラ３７６とを有する。
【００２６】
シャッタ３１５は、紙幣受容部３１０の重力方向上側に配され、紙幣受容部３１０における開口部３１２を開閉可能に構成されている。
【００２７】
集積部３３０は、底部３２０の重力方向下側に配され、孔３２２を通過した硬貨を集積することができる。集積部３３０に集積されるものは、多くの場合、硬貨であるが、他に集積されるものとしては、例えば、クリップやセロハンテープなどが考えられる。
【００２８】
検知センサ３４０は、光を出す投光部３４０ａと、投光部３４０ａからの光を受ける受光部３４０ｂと、を含み、硬貨を対象物として検知することができる。本実施形態では、検知センサ３４０は、１対の投光部３４０ａと受光部３４０ｂとを備える。本実施形態では、検知センサ３４０は、孔３２２の直下に配置されている。本実施形態では、受光部３４０ｂが光を受けている量である受光量が、受光量の閾値を下回っている時間が時間の閾値を超過した場合、検知センサ３４０は、対象物を検知する。本実施形態では、投光部３４０ａより出される光の量である投光量は、硬貨は透過せず紙幣は透過する量である。本実施形態では、投光量は、紙幣１枚の厚さを透過する量である。本実施形態では、検知センサ３４０は、受光部３４０ｂに光が到達しなかった場合、対象物を検知し、受光部３４０ｂに紙幣を透過した光が到達した場合、対象物を検知しない。
【００２９】
図７は、現金自動取引装置１０の本体制御部１４０が実行する硬貨検知処理を示すフローチャートである。本実施形態では、現金自動取引装置１０の本体制御部１４０は、現金自動取引装置１０の利用者から顧客操作部１１０を通じて振込取引の開始の指示を受け付けた場合、硬貨検知処理を開始する。硬貨検知処理を開始した後、本体制御部１４０は、シャッタ３１５を開く（ステップＳ１００）。
【００３０】
図８は、紙幣受容部３１０が紙幣４００を受け取る状態を示す説明図である。シャッタ３１５を開いた後（図７のステップＳ１００）、紙幣受容部３１０は、現金自動取引装置１０の利用者から紙幣４００を受け取る（ステップＳ１０２）。紙幣受容部３１０が紙幣４００を受け取った後（ステップＳ１０２）、本体制御部１４０は、シャッタ３１５を閉じる（ステップＳ１０４）。
【００３１】
本体制御部１４０は、シャッタ３１５を閉じた後（ステップＳ１０４）、検知処理（ステップＳ１０６）を行う。本実施形態では、検知処理（ステップＳ１０６）において、受光部３４０ｂの受光量が、受光量の閾値を下回っている時間が時間の閾値を超過した場合、検知センサ３４０は、対象物を検知する。本実施形態では、受光量の閾値および時間の閾値は、現金自動取引装置１０の管理者によって予め設定されている。
【００３２】
本実施形態では、時間の閾値は３秒である。３秒である場合、検知センサ３４０は、孔３２２から落下してくる硬貨４４０は検知せず、集積部３３０に集積したことによって一定の高さに保持されるようになった硬貨４４０を検知することができる。
【００３３】
図９は、集積部３３０に硬貨４４０が集積している状態を示す説明図である。図９では、検知センサ３４０が配された位置まで硬貨４４０は集積されている。図９の状態において、受光量の閾値を下回っている時間が時間の閾値を超過した場合（図７のステップＳ１０６：「ＹＥＳ」）、本体制御部１４０は、押出部３５０を移動させない。
【００３４】
このように、投光部３４０ａより出される光の量である投光量は、硬貨は透過せず紙幣は透過する量であり、検知センサ３４０は、受光部３４０ｂに光が到達しなかった場合、対象物を検知し、受光部３４０ｂに紙幣４００を透過した光が到達した場合、対象物を検知しない。そのため、紙幣４００が存在する場合には紙幣を検知せずに押出部３５０を移動させ、硬貨４４０が存在する場合には硬貨４４０を検知することに基づいて押出部３５０を移動させないことによって、押出部３５０の破損を防止できる。
【００３５】
図９の状態において、本体制御部１４０は、押出部３５０を移動させずシャッタ３１５を開く（図７のステップＳ１１０）。シャッタ３１５を開いた後（ステップＳ１１０）、本体制御部１４０は、報知処理を行う（ステップＳ１１２）。本実施形態では、制御部１００は、集積部３３０に集積された硬貨４４０を除去するよう利用者に伝える画面を表示することで、利用者に報知する。このような機能を奏する本体制御部１４０の機能部として、本体制御部１４０は、報知部１８０を備える（図２参照）。他の実施形態では、制御部１００は、集積部３３０に集積された硬貨４４０を除去するよう上位通信部４７０を介してＡＴＭＰＣ５００から行員が監視している端末を介して行員に報知してもよい。
【００３６】
このように、検知センサ３４０が硬貨４４０を検知した場合、硬貨４４０が集積部３３０にある旨を報知する報知部を備えているため、集積部３３０に集積した硬貨４４０への対処を、現金自動取引装置１０の利用者もしくは行員に促すことができる。
【００３７】
本体制御部１４０は、報知処理を行った後（ステップＳ１１２）、集積部３３０に集積した硬貨４４０を除去するために十分な所定の時間が経過した後、シャッタ３１５を閉じ（ステップＳ１０４）、検知処理（ステップＳ１０６）を再び実行する。
【００３８】
図１０は、押出部３５０が紙幣４００を送出部３７０に向けて移動させた状態を示した説明図である。受光量が閾値を下回っている時間が時間の閾値を超過していない場合（図７のステップＳ１０６：「ＮＯ」）、本体制御部１４０は、押出部３５０を方向Ｙに移動させることによって、紙幣４００を送出部３７０に向けて移動させる（ステップＳ１０８）。送出部３７０に移動させられた紙幣４００は、図１０に示すように、送出部３７０によってＺ方向に送出される。その後、本体制御部１４０は、図８の硬貨検知処理を終了する。
【００３９】
以上説明した実施形態によれば、硬貨４４０が集積部から溢れ出ることによる押出部３５０の破損を防止できる。
【００４０】
Ｂ．その他の実施形態：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００４１】
また、集積部３３０を重力方向上側から重力方向下側に向かって見たときに、集積部３３０内の互いに異なる位置において、硬貨４４０を検知することができる複数組の投光部３４０ａと受光部３４０ｂとを検知センサ３４０が備えてもよい。この形態によれば、集積部３３０に集積した硬貨４４０の集積状態に関わらず、集積した硬貨４４０を精度良く検知できる。
【００４２】
また、本実施形態では、検知センサ３４０は、孔３２２の直下に配置されているが、他の実施形態では、検知センサ３４０は、孔３２２の直下でない位置に配置されていてもよい。そのような形態では、検知センサ３４０は、受光部３４０ｂにおける受光量が受光量の閾値を下回った場合に、対象物を検知してもよい。この場合、検知センサ３４０は、受光量が閾値を下回っている時間が時間の閾値を超過したか否かではなく、受光量が受光量の閾値を下回った瞬間に対象物を検知する。この形態によれば、上述した実施形態と同様に、硬貨４４０が集積部から溢れ出ることによる押出部３５０の破損を防止できる。
【００４３】
本実施形態では、孔３２２は矩形であったが、本発明はこれに限られない。孔３２２は円であってもよいし、多角形であってもよい。この場合、円の直径および多角形の対角線の長さは、現金自動取引装置１０で処理可能な最も小さい紙幣の長辺より短い。
【００４４】
本実施形態では、投光量は、紙幣１枚の厚さを透過する量であったが、本発明はこれに限られない。投光量は、紙幣２枚以上の厚さを透過する量であってもよい。
【００４５】
本実施形態では、時間の閾値は３秒であったが、本発明はこれに限られない。時間の閾値は、１秒でもよいし５秒でもよい。
【００４６】
本実施形態では、検知センサ３４０が、紙幣が存在する場合には紙幣を検知せず、硬貨が存在する場合には硬貨を検知することに基づいて、押出部３５０を移動させないが、本発明はこれに限られない。検知センサ３４０が、硬貨が存在する場合には硬貨を検知するとともに、紙幣が存在する場合には紙幣を検知することに基づいて、押出部３５０を移動させなくてもよい。
【００４７】
Ｃ．その他：
本発明は、以下のような態様で実現することもできる。
【００４８】
（１）本発明の一形態によれば、紙幣取扱装置が提供される。この紙幣取扱装置は、受け入れた紙幣および払い出す紙幣を受容する紙幣受容部であって、紙幣が落下せず硬貨が落下可能に形成された孔を有する底部を備える、紙幣受容部と、前記底部の重力方向下側に配され、前記孔を通過した前記硬貨を集積することができる集積部と、前記孔の下方に配され、光を出す投光部と前記光を受ける受光部とを含み、前記集積部に集積された前記硬貨を対象物として検知することができる検知センサと、前記紙幣取扱装置を制御する制御部と、を備え、前記紙幣受容部は、さらに、前記底部に設けられ、受け入れた紙幣を紙幣受容部から送出することができる送出部と、前記底部上の前記孔を含む範囲を移動して、前記紙幣受容部内の紙幣を前記送出部に向けて移動させることができる押出部と、を含み、前記制御部は、前記検知センサが前記対象物を検知した場合、前記押出部を前記送出部に向けて移動させない。この形態によれば、硬貨が集積部から溢れ出ることによる押出部の破損を防止できる。
【００４９】
（２）上記形態の紙幣取扱装置において、前記受光部が前記光を受けている量である受光量が、前記受光量の閾値を下回っている時間が時間の閾値を超過した場合、前記検知センサは、前記対象物を検知してもよい。この形態によれば、孔を通って落下してくる硬貨は検知せず、集積部に集積したことによって一定の高さに保持されるようになった硬貨を検知することができる。
【００５０】
（３）上記形態の紙幣取扱装置において、前記投光部より出される前記光の量である投光量は、前記硬貨は透過せず前記紙幣は透過する量であり、前記検知センサは、前記受光部に前記光が到達しなかった場合、前記対象物を検知し、前記受光部に前記紙幣を透過した光が到達した場合、前記対象物を検知しなくてもよい。この形態によれば、紙幣が存在する場合には紙幣を検知せず、硬貨が存在する場合には硬貨を検知することに基づき、押出部を移動させないことによって押出部３５０の破損を防止できる。
【００５１】
（４）上記形態の紙幣取扱装置において、さらに、前記検知センサが前記対象物を検知した場合、前記硬貨が前記集積部にある旨を報知する報知部を備えてもよい。この形態によれば、集積部に集積した硬貨への対処を、紙幣取扱装置の利用者もしくは行員に促すことができる。
【００５２】
（５）上記形態の紙幣取扱装置において、前記集積部を重力方向上側から重力方向下側に向かって見たときに、前記集積部内の互いに異なる位置において、前記対象物を検知することができる複数組の前記投光部と前記受光部とを前記検知センサが備えてもよい。この形態によれば、集積部に集積した硬貨の集積状態に関わらず、集積した硬貨を精度良く検知できる。
【符号の説明】
【００５３】
１０…現金自動取引装置
２０…紙幣取扱装置
１００…制御部
１１０…顧客操作部
１２０…カード処理部
１３０…カードスロット
１４０…本体制御部
１５０…係員操作部
１６０…インタフェース部
１７０…外部記憶装置
１７５…電源部
１８０…報知部
２１０…紙幣入出金機構部
２２０…金庫筐体
２３０…紙幣搬送路
２３２…検出センサ
２３４…駆動モータ
２４０…紙幣判別部
２５０…一時保管庫
２６０…返却用一時保管庫
２７０…収納庫
２７０ａ…収納庫
２８０…回収庫
３１０…紙幣受容部
３１２…開口部
３１５…シャッタ
３２０…底部
３２２…孔
３３０…集積部
３４０…検知センサ
３４０ａ…投光部
３４０ｂ…受光部
３５０…押出部
３６０…前板
３７０…送出部
３７２…ピックローラ
３７４…分離ローラ
３７６…ゲートローラ
４００…紙幣
４４０…硬貨
４４５…制御部
４５０…主制御部
４６０…メモリ
４７０…上位通信部
Ｇ１〜１２…分岐器
【図１】
2016122242.tif 000003
【図２】
2016122242.tif 000004
【図３】
2016122242.tif 000005
【図４】
2016122242.tif 000006
【図５】
2016122242.tif 000007
【図６】
2016122242.tif 000008
【図７】
2016122242.tif 000009
【図８】
2016122242.tif 000010
【図９】
2016122242.tif 000011
【図１０】
2016122242.tif 000012